(57)【要約】      （修正有）【課題】高温環境下での対物レンズ駆動装置のワイヤねじれによる記録・再生性能劣化を起こさない光ピックアップを提供する。【解決手段】半導体レーザーで発生したレーザー光を対物レンズ２を介してディスクに導き、ディスクとの間で情報を記録または再生する光ピックアップに具備され、対物レンズ２を保持する可動部５と、ディスクに対してフォーカス方向及びトラッキング方向に離間して配置された可動部５を弾性保持する複数本のワイヤ７a,７b,７c,７dを有し、フォーカス方向に対向するワイヤ対の一方のワイヤ７a,７bに右方向にねじれを加えたワイヤＡを配置し、もう一方のワイヤ７c,７dに左方向にねじれを加えたワイヤＢを配置する。【選択図】図１
2010205375.tif 000002
【特許請求の範囲】
【請求項１】
半導体レーザーで発生したレーザー光を対物レンズを介してディスクに導き、前記ディスクとの間で情報を記録または再生する光ピックアップに具備され、前記対物レンズを保持する可動部と、前記ディスクに対してフォーカス方向及びトラッキング方向に離間して配置された前記可動部を弾性保持する複数本のワイヤを有し、フォーカス方向に対向する前記ワイヤ対の一方に右方向にねじれを加えたワイヤＡを配置し、もう一方に左方向にねじれを加えたワイヤＢを配置することを特徴とする対物レンズ駆動装置。
【請求項２】
半導体レーザーで発生したレーザー光を対物レンズを介してディスクに導き、前記ディスクとの間で情報を記録または再生する光ピックアップに具備され、前記対物レンズを保持する可動部と、前記ディスクに対してフォーカス方向及びトラッキング方向に離間して配置された前記可動部を弾性保持する複数本のワイヤを有し、トラッキング方向に対向する前記ワイヤ対の一方に右方向にねじれを加えたワイヤＡを配置し、もう一方に左方向にねじれを加えたワイヤＢを配置することを特徴とする対物レンズ駆動装置。
【発明の詳細な説明】
【技術分野】
【０００１】
本発明は、光ディスクとの間で情報を記録または再生する光ピックアップに関する。
【背景技術】
【０００２】
光ピックアップに用いる従来の対物レンズ駆動装置の例が、特許文献１に記載されている。この公報に記載の対物レンズ駆動装置は、対物レンズを有する可動部と、この可動部をワイヤを介して支持しヨークを有する固定部と、これら固定部及び可動部を収容するピックアップ筐体とを備える。そしてこの構成において、ピックアップ筐体に前記固定部の側面または前記ヨークを固定し、環境温度が変化したときに固定部が自由に熱変形することを特徴としている。
【特許文献１】特開２００６−１２７５８６号公報
【発明の開示】
【発明が解決しようとする課題】
【０００３】
しかしながら、前記特許文献１の構成では、対物レンズ駆動装置とピックアップ筐体との位置ズレを低減できるが、対物レンズを有する可動部と固定部との支持部材であるワイヤは真直度を得るためねじりをもたせており、高温環境下では残留応力が開放されねじれが発生する。その結果、記録・再生する光ディスクに対し対物レンズが傾斜してしまい、記録・再生性能が劣化する。
【課題を解決するための手段】
【０００４】
本発明は上記課題を解決するため開発されたものであり、高温環境下での対物レンズ駆動装置のワイヤねじれによる記録・再生性能劣化を起こさない光ピックアップを提供するものである。
【０００５】
そして上記目的は、半導体レーザーで発生したレーザー光を対物レンズを介してディスクに導き、前記ディスクとの間で情報を記録または再生する光ピックアップに具備され、前記対物レンズを保持する可動部と、前記ディスクに対してフォーカス方向及びトラッキング方向に離間して配置された前記可動部を弾性保持する複数本のワイヤを有し、フォーカス方向に対向する前記ワイヤ対の一方に右方向にねじれを加えたワイヤＡを配置し、もう一方に左方向にねじれを加えたワイヤＢを配置することにより、環境温度が変化したときに残留応力の開放によるワイヤねじれにより前記可動部の回転を抑制することを可能にしたことを特徴とする光ピックアップによって達成される。
【０００６】
また、半導体レーザーで発生したレーザー光を対物レンズを介してディスクに導き、前記ディスクとの間で情報を記録または再生する光ピックアップに具備され、前記対物レンズを保持する可動部と、前記ディスクに対してフォーカス方向及びトラッキング方向に離間して配置された前記可動部を弾性保持する複数本のワイヤを有し、トラッキング方向に対向する前記ワイヤ対の一方に右方向にねじれを加えたワイヤＡを配置し、もう一方に左方向にねじれを加えたワイヤＢを配置することを特徴とする光ピックアップによって達成される。
【発明の効果】
【０００７】
高温環境下での各ワイヤの残留応力が開放されねじれが発生するが、それぞれのねじれが相殺され、ワイヤのねじれによる可動部の回転を抑制することが可能になる。すなわち、記録・再生する光ディスクに対し対物レンズが水平に保持され、記録・再生性能の劣化を低減することができる。
【発明を実施するための最良の形態】
【０００８】
以下、本発明にかかる光ピックアップのいくつかの実施例を、図面を参照して説明する。本発明に係る光ピックアップ１０の一例を図４に示す。
【０００９】
光ピックアップ１０は、対物レンズ駆動装置１、光学系及びフレキシブルプリント基板１１の３つの要素を有している。対物レンズ駆動装置１は、ディスクの回転に追従して性格８に情報を記録または再生するために、対物レンズ２をフォーカシング方向とトラッキング方向に可動可能である。対物レンズ駆動装置は、ヨーク３と永久磁石４ａ、４ｂで形成される磁気回路と、対物レンズ２を取り付けた可動部５を保持する固定部６と、固定部６に対して可動部５を弾性支持するワイヤ７ａ〜７ｄとを有する。
【００１０】
可動部５には、フォーカシングコイル５１とトラッキングコイル５２が組み込まれている。（図１参照）これらのコイル５１、５２に電流を流すと永久磁石４ａ、４ｂとの間でフレミングの法則により電磁力が発生し、可動部５が駆動される。光学系は、レーザー光を出射・受光する半導体レーザーユニット１２と、半導体レーザーからの光を平行光にする図示しないコリメーターレンズとミラーと、半導体レーザーからの光を集光するレンズ２とを有する。これらの光学部品は接着剤を用いて光ピックアップ筐体１３に固定されている。フレキシブルプリント基板１１は、対物レンズ駆動装置１および光学系を、図示しない回路基板に接続する。
【００１１】
図４で示した光ピックアップに用いる対物レンズ駆動装置１を、図１を用いて詳細に示す。対物レンズ２を保持する可動部５に、フォーカシングコイル５１とトラッキングコイル５２が取り付けられている。支持部材ワイヤ７ａ〜７ｄの一端が可動５に固定されており、他端が固定部６に固定されている。可動部５では、フォーカシングコイル５１にトラッキングコイル５２が取り付けられており、フォーカシングコイルの中心空間部には、ヨーク３の折り曲げ部３１、３２が挿入される。折り曲げ部３１、３２には、永久磁石４とバックヨーク８が取り付けられて磁気回路を形成する。
【００１２】
本実施例においては、前記可動部５と、この可動部５のフォーカス方向およびトラッキング方向に離間して配置された前記可動部５を弾性保持する前記ワイヤ７ａ〜７ｄを有し、フォーカス方向に対向する前記ワイヤ７ａとワイヤ７ｂに右方向にねじれを加え、前記ワイヤ７ｃとワイヤ７ｄに左方向にねじれを加えている。このことにより、高温環境下での各ワイヤ７ａ〜７ｄの残留応力が開放されねじれが発生するが、それぞれのねじれが相殺され、ワイヤのねじれによる前記可動部５の回転を抑制することが可能になる。すなわち、記録・再生する光ディスクに対し対物レンズが水平に保持され、記録・再生性能の劣化を低減することができる。
【００１３】
本発明におけるピックアップの他の実施例を、図２に示す。本実施例は上記実施例とは、ワイヤ７ａ〜７ｄの配置場所の点で相違する。前記可動部５と、この可動部５のフォーカス方向およびトラッキング方向に離間して配置された前記可動部５を弾性保持する前記ワイヤ７ａ〜７ｄを有し、トラッキング方向に対向する前記ワイヤ７ａとワイヤ７ｂに右方向にねじれを加え、前記ワイヤ７ｃとワイヤ７ｄに左方向にねじれを加えている。このことにより、高温環境下での各ワイヤ７ａ〜７ｄの残留応力が開放されねじれが発生するが、それぞれのねじれが相殺され、ワイヤのねじれによる前記可動部５の回転を抑制することが可能になる。すなわち、記録・再生する光ディスクに対し対物レンズが水平に保持され、記録・再生性能の劣化を低減することができる。
【００１４】
本発明におけるピックアップの他の実施例を、図３に示す。本実施例は上記実施例とは、ワイヤ７ａ〜７ｄの配置場所の点で相違する。前記可動部５と、この可動部５のフォーカス方向およびトラッキング方向に離間して配置された前記可動部５を弾性保持する前記ワイヤ７ａ〜７ｄを有し、トラッキング方向に対向する前記ワイヤ７ａとワイヤ７ｂにおいて、前記ワイヤａには右方向にねじれを加え、前記ワイヤｂには左方向のねじれを加えている。また、前記ワイヤａとフォーカス方向に対向する前記ワイヤｄには左方向のねじれを加え、前記ワイヤｄにトラッキング方向に対向する前記ワイヤｃには左方向にねじれを加えている。このことにより、高温環境下での各ワイヤ７ａ〜７ｄの残留応力が開放されねじれが発生するが、それぞれのねじれが相殺され、ワイヤのねじれによる前記可動部５の回転を抑制することが可能になる。すなわち、記録・再生する光ディスクに対し対物レンズが水平に保持され、記録・再生性能の劣化を低減することができる。
【００１５】
上記各実施例によれば、高温環境下での前記対物レンズ駆動装置１の前記ワイヤ７ａ〜ｄのねじれによる、前記可動部５の回転を抑制することができ、記録・再生性能劣化の劣化を低減することができる。
【産業上の利用可能性】
【００１６】
本発明にかかる対物レンズ駆動装置は、記録・再生性能の劣化を低減することができるものであり、光ピックアップ等において有用である。
【図面の簡単な説明】
【００１７】
【図１】本発明に係る光ピックアップの一実施例を示す図
【図２】本発明に係る光ピックアップに用いる対物レンズ駆動装置を示す図
【図３】図２に示した本発明に係る光ピックアップに用いる対物レンズ駆動装置の他の実施例を示す図
【図４】本発明に係る光ピックアップ１０の一例示す図
【符号の説明】
【００１８】
１    対物レンズ駆動装置
２    対物レンズ
３    ヨーク
４ａ、４ｂ    永久磁石
５    可動部
６    固定部
７ａ〜７ｄ    ワイヤ
８    バックヨーク
１０    光ピックアップ
１１    フレキシブルプリント基板
１２    半導体レーザーユニット
１３    ピックアップ筐体
３１、３２    折り曲げ部
５１    フォーカシングコイル
５２    トラッキングコイル
【図１】
2010205375.tif 000003
【図２】
2010205375.tif 000004
【図３】
2010205375.tif 000005
【図４】
2010205375.tif 000006